【手続補正書】
【提出日】平成27年2月10日(2015.2.10)
【手続補正１】
【補正対象書類名】特許請求の範囲
【補正対象項目名】全文
【補正方法】変更
【補正の内容】
【特許請求の範囲】
【請求項１】
遊技場内に設けられ、少なくとも所定の認証キーによって遊技制御を行ないうるようにした遊技機を管理する遊技機管理システムであって、
遊技場外の前記認証キーを管理する認証キー管理手段から、第１の認証キーを取得する認証キー取得手段と、
少なくとも第２の認証キーを記憶する記憶手段と、
認証キー取得手段により前記認証キー管理手段から取得された第１の認証キーを認証に用い、少なくとも前記認証キー取得手段により前記認証キー管理手段からの第１の認証キーの取得が未了である場合には前記記憶手段に記憶された第２の認証キーを認証に用いるよう認証キーを取り扱う認証キー取扱手段と、
前記認証キー取扱手段により認証に用いる対象となった認証キーを用いて前記遊技機の動作を管理するべく前記遊技機に対応して設けられる動作管理手段と
を備えたことを特徴とする遊技機管理システム。
【請求項２】
前記動作管理手段は、認証キーが有効であるか否かを、当該認証キーに関連した所定の情報によって判定し、少なくとも有効であることを条件として前記遊技機が遊技制御を行いうるようにするための処理をすることを特徴とする請求項１に記載の遊技機管理システム。
【請求項３】
前記動作管理手段は、
所定の条件に基づいて新たな認証キーの取得が必要であることを判定する取得判定手段と、
前記取得判定手段が認証キーの取得が必要であることを判定した場合に、認証キーを要求する認証キー要求手段と
をさらに備えたことを特徴とする請求項１又は２に記載の遊技機管理システム。
【請求項４】
前記認証キー取得手段は、前記遊技機を識別する識別情報及び／又は前記認証キー取扱手段を識別する識別情報に基づいて、対応する認証キーを前記認証キー管理手段から取得することを特徴とする請求項１又は２に記載の遊技機管理システム。
【請求項５】
前記認証キー取得手段は、前記遊技機を設置した遊技店の識別情報に対応する認証キーを前記認証キー管理手段から取得することを特徴とする請求項１又は２に記載の遊技機管理システム。
【請求項６】
遊技場内に設けられ、少なくとも所定の認証キーによって遊技制御を行ないうるようにした遊技機と、前記遊技機に対応して設置されて前記遊技機の認証を行なう認証装置とを設置した遊技場を管理する遊技場管理装置であって、
遊技場外の前記認証に用いる認証キーを管理する認証キー管理サーバから、第１の認証キーを取得する認証キー取得手段と、
少なくとも第２の認証キーを記憶する記憶手段と、
前記認証キー取得手段により前記認証キー管理サーバから取得された第１の認証キーを前記認証装置に配信し、少なくとも前記認証キー取得手段により前記認証キー管理サーバからの第１の認証キーの取得が未了である場合には前記記憶手段に記憶された第２の認証キーを前記認証装置に配信する認証キー配信手段と
を備えたことを特徴とする遊技場管理装置。
【請求項７】
遊技場内に設けられ、少なくとも所定の認証キーによって遊技制御を行ないうるようにした遊技機を管理する遊技機管理方法であって、
遊技場外の認証に用いる認証キーを管理する認証キー管理手段から、第１の認証キーを取得する認証キー取得工程と、
少なくとも第２の認証キーを記憶部に格納する格納工程と、
前記認証キー取得工程により前記認証キー管理手段から取得された第１の認証キーを認証に用い、少なくとも前記認証キー取得工程により前記認証キー管理手段からの第１の認証キーの取得が未了である場合には前記記憶部に格納された第２の認証キーを認証に用いるよう認証キーを取り扱う認証キー取扱工程と、
前記認証キー取扱工程により認証に用いる対象となった認証キーを用いて前記遊技機の動作を管理する動作管理工程と
を含むことを特徴とする遊技機管理方法。
【請求項８】
遊技場内に設けられ、少なくとも所定の認証キーによって遊技制御を行ないうるようにした遊技機と、前記遊技機に対応して設置されて前記遊技機の認証を行なう認証装置とを設置した遊技場を管理する遊技場管理プログラムであって、
遊技場外の前記認証キーを管理する認証キー管理サーバから、第１の認証キーを取得する認証キー取得手順と、
少なくとも第２の認証キーを記憶部に格納する格納手順と、
前記認証キー取得手順により前記認証キー管理サーバから取得された第１の認証キーを前記認証装置に配信し、少なくとも前記認証キー取得手順により前記認証キー管理サーバからの第１の認証キーの取得が未了である場合には前記記憶部に格納された第２の認証キーを前記認証装置に配信する認証キー配信手順と
をコンピュータに実行させることを特徴とする遊技場管理プログラム。
【手続補正２】
【補正対象書類名】明細書
【補正対象項目名】発明の名称
【補正方法】変更
【補正の内容】
【発明の名称】遊技機管理システム、遊技場管理装置、遊技機管理方法及び遊技場管理プログラム
【手続補正３】
【補正対象書類名】明細書
【補正対象項目名】０００１
【補正方法】変更
【補正の内容】
【０００１】
この発明は、遊技場内に設けられ、少なくとも所定の認証キーによって遊技制御を行ないうるようにした遊技機を管理する遊技機管理システム、該遊技機が設置された遊技場を管理する遊技場管理装置、遊技機管理方法及び遊技場管理プログラムに関する。
【手続補正４】
【補正対象書類名】明細書
【補正対象項目名】０００５
【補正方法】変更
【補正の内容】
【０００５】
一方で、封入式遊技機では遊技玉をデータとして管理するので、データを改竄する不正による影響が特に甚大となる。このため、外部のサーバより取得した認証キーを用いた遊技機の認証を行ない、認証が適正に行なわれた場合に動作可能とすることが不正の防止に有効であると考えられる。
【手続補正５】
【補正対象書類名】明細書
【補正対象項目名】０００７
【補正方法】変更
【補正の内容】
【０００７】
しかしながら、外部のサーバより取得した認証キーによる認証が適正に行なわれることを遊技機の動作の条件とすると、外部のサーバとの通信による認証キーの取得が未了である場合に遊技機が使用できない。このように遊技機が使用できないと、遊技店の運用に非常に大きな障害が生じる。
【手続補正６】
【補正対象書類名】明細書
【補正対象項目名】０００８
【補正方法】変更
【補正の内容】
【０００８】
本発明は、上記課題を解決するためになされたものであって、外部のサーバからの認証キーの取得が未了の場合であっても遊技機を動作可能とする遊技機管理システム、遊技場管理装置、遊技機管理方法及び遊技場管理プログラムを提供することを目的とする。
【手続補正７】
【補正対象書類名】明細書
【補正対象項目名】０００９
【補正方法】変更
【補正の内容】
【０００９】
上記した課題を解決し、目的を達成するため、本発明は、遊技場内に設けられ、少なくとも所定の認証キーによって遊技制御を行ないうるようにした遊技機を管理する遊技機管理システムであって、遊技場外の前記認証キーを管理する認証キー管理手段から、第１の認証キーを取得する認証キー取得手段と、少なくとも第２の認証キーを記憶する記憶手段と、認証キー取得手段により前記認証キー管理手段から取得された第１の認証キーを認証に用い、少なくとも前記認証キー取得手段により前記認証キー管理手段からの第１の認証キーの取得が未了である場合には前記記憶手段に記憶された第２の認証キーを認証に用いるよう認証キーを取り扱う認証キー取扱手段と、前記認証キー取扱手段により認証に用いる対象となった認証キーを用いて前記遊技機の動作を管理するべく前記遊技機に対応して設けられる動作管理手段とを備えたことを特徴とする。
【手続補正８】
【補正対象書類名】明細書
【補正対象項目名】００１０
【補正方法】変更
【補正の内容】
【００１０】
また、本発明は、上記発明において、前記動作管理手段は、認証キーが有効であるか否かを、当該認証キーに関連した所定の情報によって判定し、少なくとも有効であることを条件として前記遊技機が遊技制御を行いうるようにするための処理をすることを特徴とする。
また、本発明は、上記発明において、前記動作管理手段は、所定の条件に基づいて新たな認証キーの取得が必要であることを判定する取得判定手段と、前記取得判定手段が認証キーの取得が必要であることを判定した場合に、認証キーを要求する認証キー要求手段とをさらに備えたことを特徴とする。
【手続補正９】
【補正対象書類名】明細書
【補正対象項目名】００１１
【補正方法】変更
【補正の内容】
【００１１】
また、本発明は、上記発明において、前記認証キー取得手段は、前記遊技機を識別する識別情報及び／又は前記認証キー取扱手段を識別する識別情報に基づいて、対応する認証キーを前記認証キー管理手段から取得することを特徴とする。
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】変更
【補正の内容】
【００１３】
また、本発明は、上記発明において、前記認証キー取得手段は、前記遊技機を設置した遊技店の識別情報に対応する認証キーを前記認証キー管理手段から取得することを特徴とする。
【手続補正１２】
【補正対象書類名】明細書
【補正対象項目名】００１４
【補正方法】変更
【補正の内容】
【００１４】
また、本発明は、遊技場内に設けられ、少なくとも所定の認証キーによって遊技制御を行ないうるようにした遊技機と、前記遊技機に対応して設置されて前記遊技機の認証を行なう認証装置とを設置した遊技場を管理する遊技場管理装置であって、遊技場外の前記認証に用いる認証キーを管理する認証キー管理サーバから、第１の認証キーを取得する認証キー取得手段と、少なくとも第２の認証キーを記憶する記憶手段と、前記認証キー取得手段により前記認証キー管理サーバから取得された第１の認証キーを前記認証装置に配信し、少なくとも前記認証キー取得手段により前記認証キー管理サーバからの第１の認証キーの取得が未了である場合には前記記憶手段に記憶された第２の認証キーを前記認証装置に配信する認証キー配信手段とを備えたことを特徴とする。
【手続補正１３】
【補正対象書類名】明細書
【補正対象項目名】００１５
【補正方法】変更
【補正の内容】
【００１５】
また、本発明は、遊技場内に設けられ、少なくとも所定の認証キーによって遊技制御を行ないうるようにした遊技機を管理する遊技機管理方法であって、
遊技場外の認証に用いる認証キーを管理する認証キー管理手段から、第１の認証キーを取得する認証キー取得工程と、少なくとも第２の認証キーを記憶部に格納する格納工程と、前記認証キー取得工程により前記認証キー管理手段から取得された第１の認証キーを認証に用い、少なくとも前記認証キー取得工程により前記認証キー管理手段からの第１の認証キーの取得が未了である場合には前記記憶部に格納された第２の認証キーを認証に用いるよう認証キーを取り扱う認証キー取扱工程と、前記認証キー取扱工程により認証に用いる対象となった認証キーを用いて前記遊技機の動作を管理する動作管理工程とを含むことを特徴とする。
【手続補正１４】
【補正対象書類名】明細書
【補正対象項目名】００１６
【補正方法】変更
【補正の内容】
【００１６】
また、本発明は、遊技場内に設けられ、少なくとも所定の認証キーによって遊技制御を行ないうるようにした遊技機と、前記遊技機に対応して設置されて前記遊技機の認証を行なう認証装置とを設置した遊技場を管理する遊技場管理プログラムであって、遊技場外の前記認証キーを管理する認証キー管理サーバから、第１の認証キーを取得する認証キー取得手順と、少なくとも第２の認証キーを記憶部に格納する格納手順と、前記認証キー取得手順により前記認証キー管理サーバから取得された第１の認証キーを前記認証装置に配信し、少なくとも前記認証キー取得手順により前記認証キー管理サーバからの第１の認証キーの取得が未了である場合には前記記憶部に格納された第２の認証キーを前記認証装置に配信する認証キー配信手順とをコンピュータに実行させることを特徴とする。
【手続補正１５】
【補正対象書類名】明細書
【補正対象項目名】００１７
【補正方法】変更
【補正の内容】
【００１７】
本発明によれば、遊技場外の前記認証キーを管理する認証キー管理手段から、第１の認証キーを取得し、少なくとも第２の認証キーを記憶手段に記憶し、認証キー管理手段から取得された第１の認証キーを認証に用い、少なくとも認証キー管理手段からの第１の認証キーの取得が未了である場合には記憶手段に記憶した第２の認証キーを認証に用いるよう認証キーを取り扱い、認証に用いる対象となった認証キーを用いて遊技機の動作を管理するよう構成したので、認証キーの取得が未了である場合であっても遊技機を動作可能とすることができる。
【手続補正１６】
【補正対象書類名】明細書
【補正対象項目名】００１９
【補正方法】変更
【補正の内容】
【００１９】
以下に、添付図面を参照して、本発明に係る遊技機管理システム、遊技場管理装置、遊技機管理方法及び遊技場管理プログラムの好適な実施例を詳細に説明する。
【手続補正１７】
【補正対象書類名】明細書
【補正対象項目名】０１７２
【補正方法】変更
【補正の内容】
【０１７２】
以上のように、本発明に係る遊技機管理システム、遊技場管理装置、遊技機管理方法及び遊技場管理プログラムは、遊技場内に設けられ、少なくとも所定の認証キーによって遊技制御を行ないうるようにした遊技機を動作可能とする場合に適している。